(57)【特許請求の範囲】
【請求項１】
商用電源ラインの活電線および中性線、大地に接続される接地線の３線を含む屋内引込配線における上記中性線と上記接地線の配線接続の適否を検査する配線チェッカーにおいて、
上記活電線と接続されるべき第１入力端子，上記中性線と接続されるべき第２入力端子および上記接地線と接続されるべき第３入力端子の３つの入力端子と、
上記第２入力端子と上記第３入力端子との間に接続された電圧測定手段と、
上記第１入力端子と上記第２入力端子との間もしくは上記第１入力端子と上記第３入力端子との間のいずれか一方に接続される抵抗回路と、
上記電圧測定手段により測定された測定電圧値に基づいて上記中性線と上記接地線の配線接続の適否を判定する判定手段とを備え、
上記判定手段は、上記抵抗回路の抵抗値を変化させたときの上記電圧測定手段の測定電圧値に基づいて、上記屋内引込配線における上記中性線と上記接地線の配線接続の適否を判定することを特徴とする配線チェッカー。
【請求項２】
請求項１に記載の配線チェッカーにおいて、上記抵抗回路が上記第１入力端子と上記第３入力端子との間に接続された可変抵抗素子からなり、上記判定手段は、上記可変抵抗素子の抵抗値を変化させたとき、上記測定電圧値が変化する場合には正常配線と判定し、上記測定電圧値が変化しない場合には誤配線と判定することを特徴とする配線チェッカー。
【請求項３】
請求項１に記載の配線チェッカーにおいて、上記抵抗回路が上記第１入力端子と上記第２入力端子との間に接続された可変抵抗素子からなり、上記判定手段は、上記可変抵抗素子の抵抗値を変化させたとき、上記測定電圧値が変化しない場合には正常配線と判定し、上記測定電圧値が変化する場合には誤配線と判定することを特徴とする配線チェッカー。
【請求項４】
商用電源ラインの活電線および中性線、大地に接続される接地線の３線を含む屋内引込配線における上記中性線と上記接地線の配線接続の適否を検査する配線チェッカーにおいて、
上記活電線と接続されるべき第１入力端子，上記中性線と接続されるべき第２入力端子および上記接地線と接続されるべき第３入力端子の３つの入力端子と、
上記第２入力端子と上記第３入力端子との間に接続された電圧測定手段と、
上記第１入力端子と上記第２入力端子との間もしくは上記第１入力端子と上記第３入力端子との間のいずれか一方に接続される抵抗回路と、
上記電圧測定手段により測定された測定電圧値に基づいて上記中性線と上記接地線の配線接続の適否を判定する判定手段とを備え、
上記抵抗回路が上記第１入力端子と上記第３入力端子との間にスイッチを介して接続された抵抗素子からなり、上記判定手段は、上記スイッチをオフとしたときとオンとしたときとで、上記測定電圧値が変化する場合には正常配線と判定し、上記測定電圧値が変化しない場合には誤配線と判定することを特徴とする配線チェッカー。
【請求項５】
商用電源ラインの活電線および中性線、大地に接続される接地線の３線を含む屋内引込配線における上記中性線と上記接地線の配線接続の適否を検査する配線チェッカーにおいて、
上記活電線と接続されるべき第１入力端子，上記中性線と接続されるべき第２入力端子および上記接地線と接続されるべき第３入力端子の３つの入力端子と、
上記第２入力端子と上記第３入力端子との間に接続された電圧測定手段と、
上記第１入力端子と上記第２入力端子との間もしくは上記第１入力端子と上記第３入力端子との間のいずれか一方に接続される抵抗回路と、
上記電圧測定手段により測定された測定電圧値に基づいて上記中性線と上記接地線の配線接続の適否を判定する判定手段とを備え、
上記抵抗回路が上記第１入力端子と上記第２入力端子との間にスイッチを介して接続された抵抗素子からなり、上記判定手段は、上記スイッチをオフとしたときとオンとしたときとで、上記測定電圧値が変化しない場合には正常配線と判定し、上記測定電圧値が変化する場合には誤配線と判定することを特徴とする配線チェッカー。
【請求項６】
請求項２に記載の配線チェッカーにおいて、上記第３入力端子を上記電圧測定手段の上記抵抗回路が接続される一方の端子側に接続するとともに、上記第２入力端子を上記電圧測定手段の他方の端子側に接続する第１切替モードと、上記第３入力端子を上記電圧測定手段の上記他方の端子側に接続するとともに、上記第２入力端子を上記電圧測定手段の上記一方の端子側に接続する第２切替モードとを選択できる切替回路をさらに備え、
上記判定手段は、上記第１切替モードが選択されている状態で、上記抵抗回路の抵抗値を変化させたとき上記測定電圧値が変化し、かつ、上記第２切替モードが選択されている状態で、上記抵抗回路の抵抗値を変化させたとき上記測定電圧値が変化しなければ正常配線と判定し、
上記第１切替モードが選択されている状態で、上記抵抗回路の抵抗値を変化させたとき上記測定電圧値が変化せず、かつ、上記第２切替モードが選択されている状態で、上記抵抗回路の抵抗値を変化させたとき上記測定電圧値が変化すれば誤配線と判定することを特徴とする配線チェッカー。
【請求項７】
請求項３に記載の配線チェッカーにおいて、上記第２入力端子を上記電圧測定手段の上記抵抗回路が接続される一方の端子側に接続するとともに、上記第３入力端子を上記電圧測定手段の他方の端子側に接続する第１切替モードと、上記第２入力端子を上記電圧測定手段の上記他方の端子側に接続するとともに、上記第３入力端子を上記電圧測定手段の上記一方の端子側に接続する第２切替モードとを選択できる切替回路をさらに備え、
上記判定手段は、上記第１切替モードが選択されている状態で、上記抵抗回路の抵抗値を変化させたとき上記測定電圧値が変化せず、かつ、上記第２切替モードが選択されている状態で、上記抵抗回路の抵抗値を変化させたとき上記測定電圧値が変化すれば正常配線と判定し、
上記第１切替モードが選択されている状態で、上記抵抗回路の抵抗値を変化させたとき上記測定電圧値が変化し、かつ、上記第２切替モードが選択されている状態で、上記抵抗回路の抵抗値を変化させたとき上記測定電圧値が変化しなければ誤配線と判定することを特徴とする配線チェッカー。
【請求項８】
請求項１ないし７のいずれか１項に記載の配線チェッカーにおいて、検査する配線対象が上記活電線，中性線および接地線が接続される接地極付きコンセント内の配線であり、上記第１ないし第３入力端子として、上記コンセントに差し込まれる栓刃が用いられることを特徴とする配線チェッカー。
【請求項９】
請求項１ないし７のいずれか１項に記載の配線チェッカーにおいて、検査する配線対象が上記活電線，中性線および接地線の各引き込み配線が接続される分電盤であり、上記第１ないし第３入力端子として、上記分電盤内の配線と接触するテストプローブもしくはテストクリップの接触端子が用いられることを特徴とする配線チェッカー。
【発明の詳細な説明】
【技術分野】
【０００１】
本発明は、商用電源ラインの活電線および中性線、大地に接続される接地線の屋内引き込み配線の配線状態を検査する配線チェッカーに関し、さらに詳しく言えば、接地極付きコンセント等における中性極（Ｎ）と接地線極（Ｅ）の誤配線の有無を検査するのに好適な簡易な構成の配線チェッカーに関するものである。
【背景技術】
【０００２】
社団法人日本電気協会より発行の改訂された内線規程によれば、電気洗濯機，電子レンジ，電気冷蔵庫等の水気を帯びる家電製品の電源コンセントについて、接地極付きコンセント（接地ピンを含む３Ｐプラグが入るコンセント）の使用が、これまでの勧告的事項から義務的事項に格上げされた。
【０００３】
図５（ａ）に示すように、接地極付きコンセント１は、商用電源ラインに含まれる柱上トランスＴＲの二次側と接続される活電線極Ｌおよび中性極Ｎと、大地に接続される接地線極Ｅの３つの端子を備えている。この場合、中性極ＮにはＢ種接地工事（系統接地）が適用され、接地線極ＥにはＤ種接地工事（機器接地）が適用される。
【０００４】
図５（ｂ）に示すように、活電線極Ｌおよび中性極Ｎは、分電盤２内の漏電ブレーカ３を介して屋内に引き込まれ、接地線極Ｅは、分電盤２内の集中接地端子４を介して大地に接地されるが、例えば分電盤２から負荷側に至る配線工事において、図５（ｃ）に示すように、中性極Ｎと接地線極Ｅとが逆接続（誤配線）、すなわち、中性極ＮがＤ種接地され、接地線極ＥがＢ種接地されることがある。
【０００５】
このような場合、負荷を接続すると往々にして漏電ブレーカ３が落ちる。漏電ブレーカ３が何らかの原因で作動しない場合もしくは漏電ブレーカ３が設置されていない場合には、中性極Ｎに流れるべき電流が接地線（Ｄ種接地）から大地に流れ込み、Ｂ種接地より柱上トランスＴＲに帰還する現象が発生する。
【０００６】
このように、大地に電流が流れることで、その大地には電位上昇が発生し、コンセントの結線が正常である近傍に設置されたコンピュータや電気機器の接地線極および水道管やガス管等の金属地中埋設物も同時に電位が上昇するため、誤動作および故障や感電，火災事故等を引き起こすおそれがある。
【０００７】
中性極Ｎと接地線極Ｅの逆接続を検査する検査機器の一例として、特許文献１に記載されたコンセントテスターや特許文献２に記載された接地極付きコンセントの極性チェック装置がある。
【０００８】
しかしながら、特許文献１のコンセントテスターは、接地極付きコンセントの３つの端子に対応した各ラインごとにそれぞれスイッチが設けられ、まず、すべてのスイッチを開にして零点調整を行ったうえで、各スイッチを所定の順序で開閉するようにしているため、操作が面倒であるばかりでなく、構成が複雑で高価でもある。
【０００９】
また、特許文献２の極性チェック装置は、分電盤から活電線極Ｌ，中性極Ｎ，接地線極Ｅにそれぞれ異なる信号を注入し、コンセント側でそれらの信号を検出して各極を判別する注入式と呼ばれる方式であり信頼性は高いが、親器と子器とを必要とすることから高価であり、また、作業者を２人必要とするため作業効率がよいとは言えない。
【先行技術文献】
【特許文献】
【００１０】
【特許文献１】特開平６−２７３４６７号公報
【特許文献２】特開２００６−３８７０７号公報
【発明の概要】
【発明が解決しようとする課題】
【００１１】
したがって、本発明の課題は、活電線極Ｌ，中性極Ｎおよび接地線極Ｅを有する接地極付きコンセント等における中性極Ｎと接地線極Ｅの誤配線の有無を、簡易な構成でありながら容易に検査できるようにすることにある。
【課題を解決するための手段】
【００１２】
上記課題を解決するため、請求項１に係る発明は、商用電源ラインの活電線および中性線、大地に接続される接地線の３線を含む屋内引込配線における上記中性線と上記接地線の配線接続の適否を検査する配線チェッカーにおいて、上記活電線と接続されるべき第１入力端子，上記中性線と接続されるべき第２入力端子および上記接地線と接続されるべき第３入力端子の３つの入力端子と、上記第２入力端子と上記第３入力端子との間に接続された電圧測定手段と、上記第１入力端子と上記第２入力端子との間もしくは上記第１入力端子と上記第３入力端子との間のいずれか一方に接続される抵抗回路と、上記電圧測定手段により測定された測定電圧値に基づいて上記中性線と上記接地線の配線接続の適否を判定する判定手段とを備え、上記判定手段は、上記抵抗回路の抵抗値を変化させたときの上記電圧測定手段の測定電圧値に基づいて、上記屋内引込配線における上記中性線と上記接地線の配線接続の適否を判定することを特徴としている。
【００１３】
請求項２に係る発明は、上記請求項１において、上記抵抗回路が上記第１入力端子と上記第３入力端子との間に接続された可変抵抗素子からなり、上記判定手段は、上記可変抵抗素子の抵抗値を変化させたとき、上記測定電圧値が変化する場合には正常配線と判定し、上記測定電圧値が変化しない場合には誤配線と判定することを特徴としている。
【００１４】
請求項３に係る発明は、上記請求項１において、上記抵抗回路が上記第１入力端子と上記第２入力端子との間に接続された可変抵抗素子からなり、上記判定手段は、上記可変抵抗素子の抵抗値を変化させたとき、上記測定電圧値が変化しない場合には正常配線と判定し、上記測定電圧値が変化する場合には誤配線と判定することを特徴としている。
【００１５】
請求項４に係る発明は、商用電源ラインの活電線および中性線、大地に接続される接地線の３線を含む屋内引込配線における上記中性線と上記接地線の配線接続の適否を検査する配線チェッカーにおいて、上記活電線と接続されるべき第１入力端子，上記中性線と接続されるべき第２入力端子および上記接地線と接続されるべき第３入力端子の３つの入力端子と、上記第２入力端子と上記第３入力端子との間に接続された電圧測定手段と、
上記第１入力端子と上記第２入力端子との間もしくは上記第１入力端子と上記第３入力端子との間のいずれか一方に接続される抵抗回路と、上記電圧測定手段により測定された測定電圧値に基づいて上記中性線と上記接地線の配線接続の適否を判定する判定手段とを備え、上記抵抗回路が上記第１入力端子と上記第３入力端子との間にスイッチを介して接続された抵抗素子からなり、上記判定手段は、上記スイッチをオフとしたときとオンとしたときとで、上記測定電圧値が変化する場合には正常配線と判定し、上記測定電圧値が変化しない場合には誤配線と判定することを特徴としている。
【００１６】
請求項５に係る発明は、商用電源ラインの活電線および中性線、大地に接続される接地線の３線を含む屋内引込配線における上記中性線と上記接地線の配線接続の適否を検査する配線チェッカーにおいて、上記活電線と接続されるべき第１入力端子，上記中性線と接続されるべき第２入力端子および上記接地線と接続されるべき第３入力端子の３つの入力端子と、上記第２入力端子と上記第３入力端子との間に接続された電圧測定手段と、
上記第１入力端子と上記第２入力端子との間もしくは上記第１入力端子と上記第３入力端子との間のいずれか一方に接続される抵抗回路と、上記電圧測定手段により測定された測定電圧値に基づいて上記中性線と上記接地線の配線接続の適否を判定する判定手段とを備え、上記抵抗回路が上記第１入力端子と上記第２入力端子との間にスイッチを介して接続された抵抗素子からなり、上記判定手段は、上記スイッチをオフとしたときとオンとしたときとで、上記測定電圧値が変化しない場合には正常配線と判定し、上記測定電圧値が変化する場合には誤配線と判定することを特徴とている。
【００１７】
請求項６に係る発明は、上記請求項２において、上記第３入力端子を上記電圧測定手段の上記抵抗回路が接続される一方の端子側に接続するとともに、上記第２入力端子を上記電圧測定手段の他方の端子側に接続する第１切替モードと、上記第３入力端子を上記電圧測定手段の上記他方の端子側に接続するとともに、上記第２入力端子を上記電圧測定手段の上記一方の端子側に接続する第２切替モードとを選択できる切替回路をさらに備え、上記判定手段は、上記第１切替モードが選択されている状態で、上記抵抗回路の抵抗値を変化させたとき上記測定電圧値が変化し、かつ、上記第２切替モードが選択されている状態で、上記抵抗回路の抵抗値を変化させたとき上記測定電圧値が変化しなければ正常配線と判定し、上記第１切替モードが選択されている状態で、上記抵抗回路の抵抗値を変化させたとき上記測定電圧値が変化せず、かつ、上記第２切替モードが選択されている状態で、上記抵抗回路の抵抗値を変化させたとき上記測定電圧値が変化すれば誤配線と判定することを特徴としている。
【００１８】
請求項７に係る発明は、上記請求項３において、上記第２入力端子を上記電圧測定手段の上記抵抗回路が接続される一方の端子側に接続するとともに、上記第３入力端子を上記電圧測定手段の他方の端子側に接続する第１切替モードと、上記第２入力端子を上記電圧測定手段の上記他方の端子側に接続するとともに、上記第３入力端子を上記電圧測定手段の上記一方の端子側に接続する第２切替モードとを選択できる切替回路をさらに備え、上記判定手段は、上記第１切替モードが選択されている状態で、上記抵抗回路の抵抗値を変化させたとき上記測定電圧値が変化せず、かつ、上記第２切替モードが選択されている状態で、上記抵抗回路の抵抗値を変化させたとき上記測定電圧値が変化すれば正常配線と判定し、上記第１切替モードが選択されている状態で、上記抵抗回路の抵抗値を変化させたとき上記測定電圧値が変化し、かつ、上記第２切替モードが選択されている状態で、上記抵抗回路の抵抗値を変化させたとき上記測定電圧値が変化しなければ誤配線と判定することを特徴としている。
【００１９】
また、本発明には、請求項８に記載されているように、検査する配線対象が上記活電線，中性線および接地線が接続される接地極付きコンセント内の配線であり、上記第１ないし第３入力端子として、上記コンセントに差し込まれる栓刃が用いられる態様も含まれる。
【００２０】
また、別の態様として、本発明には、請求項９に記載されているように、検査する配線対象が上記活電線，中性線および接地線の各引き込み配線が接続される分電盤であり、上記第１ないし第３入力端子として、上記分電盤内の配線と接触するテストプローブもしくはテストクリップの接触端子が用いられる態様も含まれる。
【発明の効果】
【００２１】
本発明に必要とされる基本的な構成要素は、上記した可変抵抗素子もしくはスイッチを有する抵抗素子からなる抵抗回路と、電圧測定手段（例えば、電圧計）でよく、いずれも安価で手軽に入手できることから、簡易な構成で安価な配線チェッカーを提供することができる。
【００２２】
また、本発明によれば、基本的に抵抗回路の抵抗値を変化させるだけの操作により、中性極Ｎと接地線極Ｅの逆接続（誤配線）の有無を容易に検査することができる。
【００２３】
また、請求項６，７に記載の発明によれば、スイッチを４回切り替え４通りの電圧値を測定することになるが、チェッカーの内部で中性極Ｎと接地線極Ｅの逆接続状態を作り出しているため、より高い信頼性が得られる。
【図面の簡単な説明】
【００２４】
【図１】本発明の第１実施形態に係り、（ａ）正常配線時，（ｂ）逆接続配線時の各検査状態を示す模式図。
【図２】上記第１実施形態を発展させた本発明の第２実施形態を示す模式図。
【図３】（ａ）本発明の第３実施形態を示す模式図、（ｂ）本発明の第３実施形態を示す模式図。
【図４】本発明の第４実施形態に係り、（ａ）正常配線時，（ｂ）逆接続配線時の各検査状態を示す模式図。
【図５】内線規程による接地極付きコンセントの（ａ）正常配線状態を示す模式図，（ｂ）屋内への引き込み配線状態を示す模式図，（ｃ）逆接続の配線状態を示す模式図。
【発明を実施するための形態】
【００２５】
次に、図１ないし図４により、本発明の各実施形態について説明するが、本発明は、これらの実施形態に限定されるものではない。
【００２６】
なお、各実施形態ともに検査対象は、先の図５で説明した柱上トランスＴＲの二次側と接続される活電線極ＬおよびＢ種接地の中性極Ｎと、Ｄ種接地により大地に接続される接地線極Ｅの３つの端子を備えている接地極付きコンセント１である。
【００２７】
また、説明の便宜上、Ｂ種接地抵抗，Ｄ種接地抵抗およびその間の大地抵抗を合算して、その抵抗値をＲＥとしているが、接地（大地）抵抗ＲＥの抵抗値は、概ね１０〜５００Ω程度である。
【００２８】
まず、図１を参照して、本発明の第１実施形態について説明すると、この第１実施形態に係る配線チェッカー１０Ａは、活電線極Ｌに接続されるべき第１入力端子としての電圧側栓刃１１，中性極Ｎに接続されるべき第２入力端子としての中性極栓刃２１および接地線極Ｅに接続されるべき第３入力端子としての接地線栓刃３１の３つの栓刃１１，２１，３１を備えている。
【００２９】
このうちの電圧側栓刃１１と中性極栓刃２１との間には、抵抗素子４４が接続され、電圧側栓刃１１と接地線栓刃３１との間には、抵抗回路４０Ａが接続されている。また、中性極栓刃２１と接地線栓刃３１との間には、電圧測定手段としての電圧計５１が接続されている。
【００３０】
この実施形態において、抵抗回路４０Ａは可変抵抗素子４１からなる。抵抗素子４４の抵抗値はＭΩオーダー，可変抵抗素子４１の抵抗値の範囲は１ＭΩ〜１０ｋΩ程度とされる。なお、本発明において、電圧側栓刃１１と中性極栓刃２１との間に接続される抵抗素子４４は任意的な構成要素であり、場合によっては省略されてもよい。
【００３１】
電圧計５１にて測定された電圧は、判定回路５２に与えられる。判定回路５２は、その測定電圧に基づいて、中性極Ｎと接地線極Ｅとに対する配線が正常（中性極ＮがＢ種接地で、接地線極ＥがＤ種接地の状態）であるか、逆接続（中性極ＮがＤ種接地で、接地線極ＥがＢ種接地の状態）であるかどうかを判定し、その判定結果を報知手段５３により作業者に知らせる。
【００３２】
判定回路５２には、ＣＰＵやマイクロコンピュータ等のデジタル判定回路もしくはコンパレータを有するアナログ判定回路のいずれが用いられてもよいが、デジタル判定回路の場合には、その入力段にＡ／Ｄ変換器を必要とする。この実施形態では、判定回路５２をＣＰＵ等のマイクロプロセッサとしている。また、報知手段６１には、ランプやブザーもしくは表示パネル等が用いられてよい。
【００３３】
次に、この第１実施形態に係る配線チェッカー１０Ａの動作の一例について説明する。
【００３４】
可変抵抗素子４１の抵抗値を高抵抗側として、コンセント１の活電線極Ｌ，中性極Ｎ，接地線極Ｅに、各栓刃１１，２１，３１を差し込んだのち、可変抵抗素子４１の抵抗値を漸次低い方に変化させる。
【００３５】
図１（ａ）に示すように、中性極Ｎと接地線極Ｅとが正常に接続されていれば、絶縁劣化が進行したのと同じ現象により、可変抵抗素子４１に流れる電流が漏れ電流として接地抵抗ＲＥに流れるため、電圧計５１の電圧値が上昇する。
【００３６】
これに対して、図１（ｂ）に示すように、中性極Ｎと接地線極Ｅとが逆に接続されている場合には、可変抵抗素子４１に流れる電流が柱上トランスＴＲ側に帰還され、負荷抵抗が変化することと等価になり、電圧計５１の電圧値は変化しない。
【００３７】
したがって、判定回路５２は、可変抵抗素子４１の抵抗値を変化させるに伴って電圧計５１の電圧値が上昇すれば正常配線と判定し、電圧計５１の電圧値が変化しないときには誤配線と判定し、そのいずれかの結果を報知手段５３により作業者に知らせる。
【００３８】
なお、正常配線の場合、漏電ブレーカ３（図５（ｂ）参照）が作動するおそれがあるので、可変抵抗素子４１の抵抗値を低くするにしても、制限をかけることが好ましい。
【００３９】
次に、図２を参照して、本発明の第２実施形態に係る配線チェッカー１０Ｂついて説明する。
【００４０】
この第２実施形態に係る配線チェッカー１０Ｂは、判定の信頼性（判定精度）をより高めるため、上記第１実施形態に係る配線チェッカー１０Ａの構成に加えて、中性極Ｎと接地線極Ｅとを故意的に逆接続状態とする切替回路をさらに備える。
【００４１】
すなわち、中性極栓刃２１および接地線栓刃３１の各栓刃について、それぞれ、内部接点２１ａ，２１ｂと、内部接点３１ａ，３１ｂと、スイッチＳＷ１ａ，ＳＷ１ｂとが用意され、中性極栓刃２１がスイッチＳＷ１ａにより内部接点２１ａ，２１ｂのいずれか一方に選択的に接続され、接地線栓刃３１がスイッチＳＷ１ｂにより内部接点３１ａ，３１ｂのいずれか一方に選択的に接続されるようになっている。
【００４２】
この場合、各内部接点のうち、内部接点２１ｂと内部接点３１ａの各々は、電圧計５１の抵抗回路４０Ａ（可変抵抗素子４１）と接続される一方の端子５１ａ側に接続され、これに対して、内部接点２１ａと内部接点３１ｂの各々は、電圧計５１の他方の端子５１ｂ側に接続されている。
【００４３】
この実施形態において、スイッチＳＷ１ａ，ＳＷ１ｂは連動型のスイッチであり、中性極栓刃２１，接地線栓刃３１をともに、内部接点２１ａと内部接点３１ａ，内部接点２１ｂと内部接点３１ｂのいずれか一方に切り替える。このため、スイッチＳＷ１ａ，ＳＷ１ｂを総称してスイッチＳＷ１と言うことがある。
【００４４】
次に、この第２実施形態に係る配線チェッカー１０Ｂの動作について説明するが、中性極Ｎと接地線極Ｅとが、図２の実線で示すように、正常に接続されている場合には、次のように動作する。
【００４５】
まず、スイッチＳＷ１により、第１切替モードとして、中性極栓刃２１，接地線栓刃３１をともに内部接点２１ａと内部接点３１ａとに接続した状態で、可変抵抗素子４１の抵抗値を漸次低い方に変化させると、先の図１（ａ）で説明したのと同じく、可変抵抗素子４１に流れる電流が漏れ電流として接地抵抗ＲＥに流れるため、電圧計５１の電圧値が上昇する。
【００４６】
引き続いて、スイッチＳＷ１により、第２切替モードとして、中性極栓刃２１，接地線栓刃３１をともに内部接点２１ｂと内部接点３１ｂとに接続する。これにより、図２の鎖線で示し、先の図１（ｂ）で説明したのと同じく、中性極Ｎと接地線極Ｅとが逆に接続された状態が作り出されるため、可変抵抗素子４１に流れる電流が柱上トランスＴＲ側に帰還され、負荷抵抗が変化することと等価になり、電圧計５１の電圧値は変化しない。
【００４７】
このように、スイッチＳＷ１により、中性極栓刃２１，接地線栓刃３１をともに内部接点２１ａと内部接点３１ａとに接続した第１切替モードで、可変抵抗素子４１の抵抗値を漸次低い方に変化させたときに電圧計５１の電圧値が上昇し、スイッチＳＷ１により、中性極栓刃２１，接地線栓刃３１をともに内部接点２１ｂと内部接点３１ｂとに接続した第２切替モードで、可変抵抗素子４１の抵抗値を漸次低い方に変化させたときに電圧計５１の電圧値が変化しない場合には、判定回路５２は、中性極Ｎと接地線極Ｅとが正常に接続されていると判定する。
【００４８】
これに対して、中性極Ｎと接地線極Ｅの配線が、図２の鎖線で示すように、入れ違っている場合には、上記とは反対に、スイッチＳＷ１により、中性極栓刃２１，接地線栓刃３１をともに内部接点２１ａと内部接点３１ａとに接続した第１切替モードでは、電圧計５１の電圧値が変化せず、スイッチＳＷ１により、中性極栓刃２１，接地線栓刃３１をともに内部接点２１ｂと内部接点３１ｂとに接続した第２切替モードでは、電圧計５１の電圧値が上昇する。
【００４９】
まとめると、スイッチＳＷ１（ＳＷ１ａ，ＳＷ１ｂ）を内部接点２１ａと内部接点３１ａとに切り替えた第１切替モードのとき電圧計５１の電圧値が上昇し、かつ、スイッチＳＷ１を内部接点２１ｂと内部接点３１ｂとに切り替えた第２切替モードのとき電圧計５１の電圧値が変化しなければ、正常配線と判定される。
【００５０】
これに対して、スイッチＳＷ１（ＳＷ１ａ，ＳＷ１ｂ）を内部接点２１ａと内部接点３１ａとに切り替えた第１切替モードのとき電圧計５１の電圧値が変化せず、かつ、スイッチＳＷ１を内部接点２１ｂと内部接点３１ｂとに切り替えた第２切替モードのとき電圧計５１の電圧値が上昇すれば、誤配線と判定される。
【００５１】
これを自動で行うには、判定回路５２により、スイッチＳＷ１（ＳＷ１ａ，ＳＷ１ｂ）を上記のように切り替え制御するとともに、判定回路５２に、それらの切り替え時における電圧計５１の電圧値の「上昇」もしくは電圧計５１の電圧値が「変化せず」の判定パターンを記憶させておけばよい。
【００５２】
次に、図３（ａ），（ｂ）により、本発明の第３実施形態と、第４実施形態とについて説明する。
【００５３】
図３（ａ）に示す第３実施形態に係る配線チェッカー１０Ｃは、上記第１実施形態に係る配線チェッカー１０Ａから任意的な構成要素である抵抗素子４４を外した態様であり、その他の構成は、第１実施形態に係る配線チェッカー１０Ａと同一である。
【００５４】
したがって、第１実施形態に係る配線チェッカー１０Ａと同じく、判定回路５２は、可変抵抗素子４２の抵抗値を変化させるに伴って電圧計５１の電圧値が上昇すれば正常配線と判定し、電圧計５１の電圧値が変化しないときには誤配線と判定する。
【００５５】
図３（ｂ）に示す第４実施形態に係る配線チェッカー１０Ｄにおいても、抵抗素子４４が外されているが、その代わりに、電圧側栓刃１１と中性極栓刃２１との間に、抵抗回路４０Ａとしての可変抵抗素子４１が接続されている。その他の構成は、第１実施形態に係る配線チェッカー１０Ａと同一であってよい。
【００５６】
この第４実施形態に係る配線チェッカー１０Ｄにおいては、正常配線，誤配線の判定は上記第１実施形態と逆で、判定回路５２は、可変抵抗素子４１の抵抗値を変化させるに伴って電圧計５１の電圧値が変化しなければ正常配線と判定し、電圧計５１の電圧値が上昇すれば誤配線と判定する。
【００５７】
また、この第４実施形態に係る配線チェッカー１０Ｄによれば、正常配線の場合、漏電ブレーカ３（図５（ｂ）参照）が作動するおそれがない。
【００５８】
次に、図４を参照して、本発明の第５実施形態に係る配線チェッカー１０Ｅについて説明する。
【００５９】
この第５実施形態に係る配線チェッカー１０Ｅでは、電圧側栓刃１１と接地線栓刃３１との間に抵抗回路４０Ｂが接続される。この抵抗回路４０Ｂは、スイッチＳＷ２と抵抗素子４２とを含む直列回路からなり、電圧側栓刃１１と接地線栓刃３１との間に、スイッチＳＷ２を介して抵抗素子４２が接続される。
【００６０】
また、上記各実施形態と同じく、中性極栓刃２１と接地線栓刃３１との間に電圧計５１が接続され、電圧計５１には判定回路５２が接続される。
【００６１】
この場合、抵抗素子４２には、スイッチＳＷ２をオンにした際に、漏電ブレーカ３が作動しない程度の漏れ電流を発生させる抵抗値を有するものが用いられる。例えば、電源が１００Ｖ系であるとして、抵抗素子４２に２０ｋΩのものを選択すれば、流れる電流は５ｍＡで、通常の漏電ブレーカ３は作動しない。
【００６２】
この第５実施形態に係る配線チェッカー１０Ｅの動作について説明する。まず、スイッチＳＷ２をオフとして、コンセント１の活電線極Ｌ，中性極Ｎ，接地線極Ｅに、各栓刃１１，２１，３１を差し込んで、電圧計５１により、中性極Ｎと接地線極Ｅとの間の電圧を測定する。判定回路５２は、その測定電圧を初期電圧Ｖｉｎｉとして記憶する。
【００６３】
その後に、スイッチＳＷ２をオンにする。ここで、図４（ａ）に示すように、中性極Ｎと接地線極Ｅとが正常に接続されていれば、活電線極Ｌから抵抗素子４２を介して接地抵抗ＲＥに電流が流れるため、中性極Ｎと接地線極Ｅ間に、初期電圧Ｖｉｎｉと比較して数百ｍＶの電圧が発生する。
【００６４】
すなわち、スイッチＳＷ２をオンとしたときに電圧計５１で測定された電圧をＶｏｎとすると、Ｖｉｎｉ＜ＶｏｎでＶｉｎｉ≠Ｖｏｎとなるため、判定回路５２は正常配線と判定する。
【００６５】
これに対して、図４（ｂ）に示すように、中性極Ｎと接地線極Ｅの配線が入れ違っている逆接続の場合、抵抗素子４２は、活電線極Ｌと中性極Ｎとの間に接続されたのと等価になる。
【００６６】
したがって、抵抗素子４２に流れる電流は正常な負荷電流となるため、中性極Ｎと接地線極Ｅ間の電圧は変化せず、電圧計５１の読み値は初期電圧Ｖｉｎｉのままである。これにより、判定回路５２は、誤配線と判定する。
【００６７】
この第５実施形態の変形例として、図４（ａ），（ｂ）に鎖線で示すように、抵抗回路４０Ｂを電圧側栓刃１１と中性極栓刃２１との間に接続してもよい。
【００６８】
この場合には、正誤の判定が上記とは逆に、スイッチＳＷ２をオンとしたときの電圧計５１の読み値Ｖｏｎが初期電圧Ｖｉｎｉのまま（Ｖｉｎｉ＝Ｖｏｎ）であれば正常配線と判定され、Ｖｉｎｉ≠Ｖｏｎであれば誤配線と判定される。
【００６９】
また、上記第２実施形態および第４実施形態の各変形例として、図２，図３（ｂ）の各図に鎖線で示すように、抵抗回路４０Ａを抵抗回路４０Ｂに置き換えてもよい。この場合にも、上記第５実施形態と同じく、スイッチＳＷ２をオフとしたときの初期電圧Ｖｉｎｉと、スイッチＳＷ２をオンとしたときの測定電圧Ｖｏｎとを比較することにより、中性極Ｎと接地線極Ｅの配線状態を判定することができる。
【００７０】
また、図３（ｂ）の第４実施形態および第５実施形態の図４（ａ），（ｂ）に鎖線で示すように、電圧側栓刃１１（第１入力端子）と中性極栓刃２１（第２入力端子）との間に、抵抗回路４０Ａ，４０Ｂが接続されている各態様に、図２の第２実施形態で説明した中性極Ｎと接地線極Ｅとを故意的に逆接続状態とする切替回路を付加することもできる。
【００７１】
この場合、第１切替モード時には、中性極栓刃２１を電圧計５１の抵抗回路４０Ａ，４０Ｂが接続される一方の端子側に接続するとともに、接地線栓刃３１（第３入力端子）を電圧計５１の他方の端子側に接続する。
【００７２】
これに対して、第２切替モード時には、上記第１切替モードとは反対に、中性極栓刃２１を電圧計５１の他方の端子に接続するとともに、接地線栓刃３１を電圧計５１の一方の端子に接続する。すなわち、中性極栓刃２１と接地線栓刃３１の接続先を入れ替える。
【００７３】
そして、判定回路５２では、第１切替モードが選択されている状態で、抵抗回路４０Ａ，４０Ｂの抵抗値を変化させたとき、電圧計５１の測定電圧値が変化せず、かつ、第２切替モードが選択されている状態で、抵抗回路４０Ａ，４０Ｂの抵抗値を変化させたとき、電圧計５１の測定電圧値が変化すれば正常配線と判定する。
【００７４】
これに対して、第１切替モードが選択されている状態で、抵抗回路４０Ａ，４０Ｂの抵抗値を変化させたとき、電圧計５１の測定電圧値が変化し、かつ、第２切替モードが選択されている状態で、抵抗回路４０Ａ，４０Ｂの抵抗値を変化させたとき、電圧計５１の測定電圧値が変化しなければ誤配線と判定する。
【００７５】
なお、上記各実施形態では、検査対象を接地極付きコンセントとしているが、本発明の配線チェッカーは、分電盤２内の各引き込み配線をも検査することができ、その場合には、電圧側栓刃１１，中性極栓刃２１，接地線栓刃３１に代えて、各入力端子として、テストプローブもしくはテストクリップ等の接触端子を用いればよい。
【００７６】
本発明の上記各実施形態に係る配線チェッカーは、チェッカー単体として構成されてもよいが、多機能の電気測定装置にその一機能として組み込まれてもよい。
【符号の説明】
【００７７】
１  接地極付きコンセント
２  分電盤
３  漏電ブレーカ
４  集中接地端子
１０Ａ〜１０Ｅ  配線チェッカー
１１  電圧側栓刃（第１入力端子）
２１  中性極栓刃（第２入力端子）
３１  接地線栓刃（第３入力端子）
４０Ａ，４０Ｂ  抵抗回路
４１  可変抵抗素子
４２  抵抗素子
５１  電圧計
５２  判定回路
５３  報知手段
Ｅ  活電線極
Ｎ  中性極
Ｅ  接地線極
ＲＥ  接地抵抗
ＳＷ１，ＳＷ２  スイッチ
【図１】
0005663341.tif 000002
【図２】
0005663341.tif 000003
【図３】
0005663341.tif 000004
【図４】
0005663341.tif 000005
【図５】
0005663341.tif 000006